(57)【要約】【課題】  線状照明装置を第１読み取り部に固定した状態で、第１読み取り部に導かれた原稿に光を照射させて画像を読み取る場合に、光源部において発生した熱を放熱部により外部に放熱させて、光源部が加熱されるの適切に防止する。【解決手段】  長尺状の導光体11aの端部に設けられた光源部11bから出射された光を導光体の長手方向に沿った直線状の光にして原稿に向けて出射させる線状照明装置を第１読み取り部15aに固定した状態で、この第１読み取り部に導かれた原稿に光を照射させて画像を読み取るにあたり、線状照明装置における光源部の近傍に放熱部11dを設け、この放熱部が外気と接するようにした。【選択図】  図６
2012191404.tif 000002
【特許請求の範囲】
【請求項１】
長尺状の導光体の少なくとも一端側に設けられた光源部から導光体に出射された光を導光体の長手方向に沿った直線状の光にして原稿に向けて出射させる線状照明装置が本体フレーム内において移動可能に設けられ、上記の線状照明装置を第１読み取り部に固定した状態で、第１読み取り部に導かれた原稿に光を照射させて画像を読み取る固定読取状態と、上記の線状照明装置を移動させながら第２読み取り部にセットされた原稿に光を照射させて画像を読み取る移動読取状態との切り換えが可能な画像読取装置において、上記の線状照明装置における光源部の近傍に放熱部が設けられ、この放熱部が上記の固定読取状態において外気と接するようにしたことを特徴とする画像読取装置。
【請求項２】
請求項１に記載の画像読取装置において、上記の光源部に発光ダイオードを用いたことを特徴とする画像読取装置。
【請求項３】
請求項１又は請求項２に記載の画像読取装置において、上記の線状照明装置に設けられた放熱部が、固定読取状態において外気が流れる外気流路内に導かれることを特徴とする画像読取装置。
【請求項４】
請求項１〜請求項３の何れか１項に記載の画像読取装置において、上記の線状照明装置に設けられた放熱部が、固定読取状態において上記の本体フレーム外に突出されて外気が流れる外気流路内に導かれることを特徴とする画像読取装置。
【請求項５】
請求項１〜請求項４の何れか１項に記載の画像読取装置において、上記の線状照明装置が固定読取状態以外の状態にある場合に、外気が流れる外気流路と上記の本体フレーム内とを遮断するシャッタ部材が設けられていることを特徴とする画像読取装置。
【発明の詳細な説明】
【技術分野】
【０００１】
本発明は、複写機，ファクシミリ及びこれらの複合機等の画像形成装置等において、原稿における画像を読み取るのに使用される画像読取装置に関するものである。特に、長尺状の導光体の少なくとも一端側に設けられた光源部から導光体に出射された光を導光体の長手方向に沿った直線状の光にして原稿に向けて出射させる線状照明装置を用い、この線状照明装置を本体フレーム内において移動可能に設け、上記の線状照明装置を固定した状態で第１読み取り部に導かれた原稿に光を照射させて画像を読み取る固定読取状態と、上記の線状照明装置を移動させながら第２読み取り部にセットされた原稿に光を照射させて画像を読み取る移動読取状態とを切り換える画像読取装置において、光源部が加熱されるのを適切に防止できるようにした点に特徴を有するものである。
【背景技術】
【０００２】
複写機，ファクシミリ及びこれらの複合機等の画像形成装置等においては、原稿に照明装置から光を照射させて、原稿における画像を読み取り、文書等の画像を電子化したり、複写したりするのに画像読取装置が使用されている。
【０００３】
ここで、このような画像読取装置としては、従来から、照明装置を本体フレーム内において移動可能に設け、この照明装置を第１読み取り部に固定した状態で、自動原稿送り装置により第１読み取り部に導かれた原稿に光を照射させて画像を読み取る固定読取状態と、この照明装置を移動させながら、第２読み取り部にセットされた原稿に光を照射させて画像を読み取る移動読取状態とを切り換えるようにしたものが用いられている。
【０００４】
また、このような画像読取装置において、原稿に光を照射させる照明装置として、近年においては、長尺状の導光体の少なくとも一端側に発光ダイオード等を用いた光源部を設け、この光源部から導光体に出射された光を導光体の長手方向に沿った直線状の光にして原稿に向けて出射させるようにした線状照明装置が用いられるようになっている。
【０００５】
ここで、上記のような線状照明装置を用いた場合において、十分な光量を得るためには、発光ダイオード等を用いた光源部に大電流を流すことが必要になり、この結果、光源部が発熱して、発光ダイオード等を用いた光源部の特性が低下し、十分な光量が得られなくなったり、光源部の寿命が短くなったりするという問題があった。
【０００６】
このため、従来においては、特許文献１，２等に示されるように、上記のような線状照明装置において、光源部の近傍に放熱フィン等の放熱部を設け、この放熱部により光源部において発生した熱を放熱させて、光源部が加熱されるのを防止するようにしたものが提案されている。
【０００７】
しかし、上記のような線状照明装置は、画像読取装置の本体フレーム内に設けられているため、光源部において発生した熱を放熱部によって十分に放熱させることが困難であった。特に、上記のように線状照明装置を第１読み取り部に固定した状態で、自動原稿送り装置によって第１読み取り部に導かれた原稿に光を照射させて画像を読み取る固定読取状態においては、この線状照明装置が移動しないため、光源部において発生した熱が放熱部により放熱されても、この熱が光源部の近傍に滞留し、光源部が加熱されるのを十分に抑制することができないという問題があった。
【０００８】
また、従来においては、冷却ファン等により光源部を強制的に冷却させることも行われているが、この場合、装置が大型化し、設備コストやランニングコストも高くつくという問題があった。
【先行技術文献】
【特許文献】
【０００９】
【特許文献１】特開２０１０−８７８０９号公報
【特許文献２】特開２０１０−９２７８０号公報
【発明の開示】
【発明が解決しようとする課題】
【００１０】
本発明は、長尺状の導光体の少なくとも一端側に光源部が設けられ、この光源部から導光体内に出射された光を導光体の長手方向に沿った直線状の光にして原稿に向けて出射させる線状照明装置を用いた画像読取装置における上記のような問題を解決することを課題とするものである。
【００１１】
本発明は、上記の線状照明装置から原稿に光を出射させて原稿における画像を読み取る場合、特に、線状照明装置を第１読み取り部に固定した状態で、第１読み取り部に導かれた原稿に光を照射させて画像を読み取る固定読取状態の場合に、光源部において発生した熱を放熱部により外部に適切に放熱させて、光源部が加熱されるのを適切に防止できるようにすることを課題とするものである。
【課題を解決するための手段】
【００１２】
本発明の画像読取装置においては、上記のような課題を解決するため、長尺状の導光体の少なくとも一端側に設けられた光源部から導光体に出射された光を導光体の長手方向に沿った直線状の光にして原稿に向けて出射させる線状照明装置が本体フレーム内において移動可能に設けられ、上記の線状照明装置を第１読み取り部に固定した状態で、第１読み取り部に導かれた原稿に光を照射させて画像を読み取る固定読取状態と、上記の線状照明装置を移動させながら第２読み取り部にセットされた原稿に光を照射させて画像を読み取る移動読取状態との切り換えが可能な画像読取装置において、上記の線状照明装置における光源部の近傍に放熱部を設け、この放熱部が上記の固定読取状態において外気と接するようにした。
【００１３】
ここで、この画像読取装置において、上記の線状照明装置における光源部としては、一般に発光ダイオード（ＬＥＤ）が用いられる。
【００１４】
また、この画像読取装置において、線状照明装置に設けられた放熱部を、固定読取状態において外気と接触させるにあたっては、線状照明装置に設けられた放熱部が、固定読取状態において外気が流れる外気流路内に導かれるようにし、例えば、固定読取状態において、線状照明装置に設けられた放熱部を、画像読取装置の本体フレーム外に突出させて外気が流れる外気流路内に導くようにしたり、本体フレームに外気が流れる外気出入口を設け、この外気出入口の位置に放熱部を導くようにしたりすることができる。
【００１５】
また、このように線状照明装置に設けられた放熱部が、固定読取状態において外気が流れる外気流路内に導かれるようにした場合、固定読取状態以外の状態では、外気と一緒にほこり等が本体フレーム内に流れ込むおそれがあるため、線状照明装置が固定読取状態以外の状態にある場合に、外気が流れる外気流路とこの本体フレーム内とを遮断するシャッタ部材を設けることが好ましい。
【発明の効果】
【００１６】
本発明における画像読取装置においては、長尺状の導光体の少なくとも一端側に光源部が設けられた線状照明装置を第１読み取り部に固定した状態で、この第１読み取り部に導かれた原稿に光を照射させて画像を読み取る固定読取状態において、この線状照明装置の光源部の近傍に設けられた放熱部が外気と接するようにしたため、光源部において発生した熱が、上記の放熱部を通して外部に適切に放熱されて、光源部が加熱されるのが適切に防止される。
【００１７】
この結果、本発明における画像読取装置においては、冷却ファン等により光源部を強制的に冷却させなくても、光源部において発生した熱が放熱部を通して外部に適切に放熱されて、光源部が加熱されるのが適切に抑制され、装置が大型化したり、設備コストやランニングコストが高くついたりするということがなく、線状照明装置において長期にわたって十分な光量が得られ、安定した画像読み取りが行えるようになる。
【図面の簡単な説明】
【００１８】
【図１】自動原稿送り装置が設けられた画像形成装置に本発明の実施形態に係る画像読取装置を使用する状態を示した概略斜視図である。
【図２】上記の画像形成装置において、自動原稿送り装置を開けた状態を示した概略斜視図である。
【図３】本発明の実施形態に係る画像読取装置に使用する線状照明装置を示した概略平面図である。
【図４】上記の実施形態に係る画像読取装置において、線状照明装置を第１読み取り部に固定した状態で、この第１読み取り部に導かれた原稿に光を照射させて画像を読み取る固定読取状態を示した概略説明図である。
【図５】上記の実施形態に係る画像読取装置において、線状照明装置を移動させながら第２読み取り部にセットされた原稿に光を照射させて画像を読み取る移動読取状態を示した概略説明図である。
【図６】上記の実施形態に係る画像読取装置において、図４に示す固定読取状態にある場合に、本体フレームに設けられたシャッタ部材が回動して外気出入口が開口され、線状照明装置に設けられた放熱部が外気と接触する状態を示した概略平面図である。
【図７】上記の実施形態に係る画像読取装置において、固定読取状態以外の状態にある場合に、本体フレームに設けられたシャッタ部材により外気出入口が閉塞された状態を示した概略平面図である。
【図８】上記の実施形態に係る画像読取装置において、図４に示す固定読取状態にある場合に、本体フレームに設けられたシャッタ部材が回動して外気出入口が開口されると共に、本体フレームの内部と第１スライダーユニットと第２スライダーユニットとに設けられた各ダクト部が連通され、これらのダクト部を介して本体フレームの上面部及び下面部に設けられた外気出入口が連通される状態を示した断面説明図である。
【図９】上記の実施形態に係る画像読取装置において、固定読取状態以外の状態にある場合に、本体フレームに設けられたシャッタ部材により外気出入口が閉塞されると共に、本体フレームの内部と第１スライダーユニットと第２スライダーユニットとに設けられた各ダクト部が分離された状態を示した断面説明図である。
【図１０】上記の実施形態に係る画像読取装置の変更例を示し、この変更例において使用する線状照明装置を示した概略平面図である。
【図１１】上記の変更例に係る画像読取装置において、第１読み取り部側の両側の角部が切り欠かれた本体フレームの切り欠き部分に、線状照明装置に設けられた放熱部を本体フレームの外部に突出させる突出口を開口させると共に、この突出口の開閉を行うシャッタ部材を設けた状態を示した第１読み取り部側の概略正面図である。
【図１２】上記の変更例に係る画像読取装置において、図４に示す固定読取状態にある場合に、本体フレームに設けられたシャッタ部材が回動して、線状照明装置に設けられた放熱部が突出口を通して本体フレームの外部に突出された状態を示した概略平面図である。
【図１３】上記の変更例に係る画像読取装置において、固定読取状態以外の状態にある場合に、線状照明装置に設けられた放熱部が本体フレーム内に移動して、上記のシャッタ部材により突出口が閉塞された状態を示した概略平面図である。
【発明を実施するための最良の形態】
【００１９】
次に、この発明の実施形態に係る画像読取装置を添付図面に基づいて具体的に説明する。なお、本発明に係る画像読取装置は、下記の実施形態に示したものに限定されず、その要旨を変更しない範囲において適宜変更して実施できるものである。
【００２０】
この実施形態においては、図１及び図２に示すように、自動原稿送り装置２が設けられた画像形成装置１に使用される画像読取装置１０について説明する。
【００２１】
ここで、上記の自動原稿送り装置２や画像形成装置１には複数の通気口３が設けられ、これらの通気口３を通して画像読取装置１０内に外気を導くようにしている。
【００２２】
ここで、この画像読取装置１０においては、線状照明装置１１として、図３に示すように、長尺状の導光体１１ａの両端部にＬＥＤからなる光源部１１ｂが設けられると共に、各光源部１１ｂと基板１１ｃを介して反対側に向けて放熱フィンからなる放熱部１１ｄが設けられたものを用いている。
【００２３】
そして、この線状照明装置１１においては、上記の光源部１１ｂから導光体１１ａに出射された光を、導光体１１ａの長手方向に沿った直線状の光にして原稿に向けて出射させるようになっている。
【００２４】
また、この画像読取装置１０においては、図４及び図５に示すように、その本体フレーム１０ａ内に、上記の線状照明装置１１と第１反射鏡１２ａとが設けられた第１スライダーユニットＳ１と、第２反射鏡１２ｂと第３反射鏡１２ｃとが設けられた第２スライダーユニットＳ２を原稿読取方向に移動可能に設けると共に、第２スライダーユニットＳ２の第３反射鏡１２ｃによって反射された光が導かれる結像レンズ１３と、この結像レンズ１３により結像された画像を読み取る画像読取り素子１４とを設けている。
【００２５】
また、この画像読取装置１０においては、その上面部に、上記の自動原稿送り装置２によって導かれた原稿における画像を読み取るための透明ガラス等で構成された第１読み取り部１５ａと、セットされた原稿における画像を読み取るための透明ガラス等で構成された第２読み取り部１５ｂが設けられている。
【００２６】
ここで、この画像読取装置１０において、上記の線状照明装置１１を第１読み取り部１５ａに固定した状態で、自動原稿送り装置２によって第１読み取り部１５ａに導かれた原稿における画像を読み取る固定読取状態においては、図４に示すように、第１スライダーユニットＳ１を第１読み取り部１５ａに導いて、上記の線状照明装置１１を第１読み取り部１５ａに固定した状態にセットすると共に、第２スライダーユニットＳ２を対応する所定位置に導いて固定させ、この状態で、上記の自動原稿送り装置２によって原稿を第１読み取り部１５ａに導き、この第１読み取り部１５ａを通過する原稿に対して、上記の線状照明装置１１から導光体１１ａの長手方向に沿った直線状の光を照射させる。
【００２７】
そして、この第１読み取り部１５ａを通過する原稿において反射された画像情報を含む反射光を、第１スライダーユニットＳ１に設けられた第１反射鏡１２ａにより反射させ、さらにこの反射光を第２スライダーユニットＳ２に設けられた第２反射鏡１２ｂと第３反射鏡１２ｃとにより反射させ、この反射光を結像レンズ１３により画像読取り素子１４に結像させて、第１読み取り部１５ａを通過する原稿全体の画像を読み取るようにしている。
【００２８】
また、この画像読取装置１０において、上記の線状照明装置１１を移動させながら第２読み取り部１５ｂにセットされた原稿における画像を読み取る移動読取状態においては、図５に示すように、上記の第１スライダーユニットＳ１と、第２スライダーユニットＳ２とを、それぞれ第２読み取り部１５ｂに沿って所定の速度で原稿読取方向に移動させながら、第２読み取り部１５ｂにセットされた原稿に対して、上記の線状照明装置１１から導光体１１ａの長手方向に沿った直線状の光を連続して照射させる。
【００２９】
そして、この原稿２において反射された画像情報を含む反射光を、第１スライダーユニットＳ１に設けられた第１反射鏡１２ａにより反射させ、さらにこの反射光を第２スライダーユニットＳ２に設けられた第２反射鏡１２ｂと第３反射鏡１２ｃとにより反射させ、この反射光を結像レンズ１３により画像読取り素子１４に結像させて、第２読み取り部１５ｂにセットされた原稿全体の画像を読み取るようにしている。
【００３０】
ここで、この実施形態の画像読取装置１０においては、図６及び図７に示すように、本体フレーム１０ａに設けられた上記の第１読み取り部１５ａの両側近傍における本体フレーム１０ａの上面部及び下面部に、それぞれ上記の自動原稿送り装置２や画像形成装置１に設けられた通気口３を通して導かれる外気を導入、導出させる外気出入口１６を開口させると共に、これらの外気出入口１６の開閉を行うシャッタ部材１７を設けている。
【００３１】
そして、この画像読取装置１０において、図４に示すように、第１スライダーユニットＳ１を第１読み取り部１５ａに導いて、上記の自動原稿送り装置２により第１読み取り部１５ａに導かれた原稿における画像を読み取る固定読取状態においては、この第１スライダーユニットＳ１の移動に伴って、図６に示すように、上記のシャッタ部材１７を機械的に或いは電気的に回動させて、本体フレーム１０ａの上面部及び下面部に設けられた外気出入口１６を開口させると共に、この外気出入口１６の位置に線状照明装置１１の両側に設けられた放熱部１１ｄを露出させ、上記の通気口３から導かれた外気を上記の外気出入口１６を通して放熱部１１ｄに接触させて、光源部１１ｂにおいて発生した熱をこの放熱部１１ｄを通して外部に放熱させるようにしている。
【００３２】
このようにすると、上記の固定読取状態において、光源部１１ｂにおいて発生した熱が放熱部１１ｄを通して外部に適切に放熱され、光源部１１ｂが加熱されるのが適切に防止されるようになる。
【００３３】
一方、第１スライダーユニットＳ１が第１読み取り部１５ａから移動した状態では、図７に示すように、上記のシャッタ部材１７が回動されて元の状態に戻り、本体フレーム１０ａの上面部及び下面部に設けられた外気出入口１６がこのシャッタ部材１７により閉塞されて、外気に含まれるほこり等が本体フレーム１０ａ内に流れ込むのが防止されるようになる。
【００３４】
また、この実施形態においては、図８及び図９に示すように、本体フレーム１０ａの内部と、第１スライダーユニットＳ１と、第２スライダーユニットＳ２とに、それぞれダクト部１８ａ，１８ｂ，１８ｃを設け、第１スライダーユニットＳ１に設けられたダクト部１８ｂ内に、線状照明装置１１における放熱部１１ｄが位置するようにしている。
【００３５】
そして、図４に示すように、第１スライダーユニットＳ１を第１読み取り部１５ａに導かれて、第１スライダーユニットＳ１と第２スライダーユニットＳ２とが所定位置にセットされた固定読取状態においては、図８に示すように、シャッタ部材１７が回動されて、本体フレーム１０ａの上面部及び下面部に設けられた外気出入口１６が開口されると共に、本体フレーム１０ａの内部と第１スライダーユニットＳ１と第２スライダーユニットＳ２とに設けられたダクト部１８ａ，１８ｂ，１８ｃが連通され、これらのダクト部１８ａ，１８ｂ，１８ｃを介して本体フレーム１０ａの上面部及び下面部に設けられた外気出入口１６が連通されるようにしている。
【００３６】
このようにすると、自動原稿送り装置２や画像形成装置１に設けられた通気口３を通して導かれた外気が、本体フレーム１０ａの上面部及び下面部に設けられた外気出入口１６からそれぞれのダクト部１８ａ，１８ｂ，１８ｃを通して流れるようになり、第１スライダーユニットＳ１に設けられたダクト部１８ｂ内に位置する放熱部１１ｄに外気が適切に導かれて、光源部１１ｂにおいて発生した熱が放熱部１１ｄを通してより適切に外部に放熱されるようになる。
【００３７】
一方、図９に示すように、上記の固定読取状態から第１スライダーユニットＳ１及び第２スライダーユニットＳ２が移動した状態では、本体フレーム１０ａの内部と第１スライダーユニットＳ１と第２スライダーユニットＳ２とに設けられたダクト部１８ａ，１８ｂ，１８ｃが分離された状態になると共に、上記のシャッタ部材１７が回動されて元の状態に戻り、本体フレーム１０ａの上面部及び下面部に設けられた外気出入口１６がこのシャッタ部材１７により閉塞されて、外気に含まれるほこり等が本体フレーム１０ａ内に流れ込むのが防止されるようになる。
【００３８】
なお、この実施形態の画像読取装置１０においては、上記のように線状照明装置１１を第１読み取り部１５ａに固定した状態で、自動原稿送り装置２により第１読み取り部１５ａに導かれた原稿における画像を読み取る固定読取状態において、上記の放熱部１１ｄが、本体フレーム１０ａの上面部及び下面部に設けられた外気出入口１６を通して導かれた外気と接触するようにしたが、上記の固定読取状態において、放熱部１１ｄを外気と接触させる方法はこのようなものに限定されない。
【００３９】
例えば、上記のような画像読取装置１０において、線状照明装置１１として、図１０に示すように、長尺状の導光体１１ａの両端部にＬＥＤからなる光源部１１ｂが設けられ、光源部１１ｂと基板１１ｃの反対側における放熱フィンからなる各放熱部１１ｄが導光体１１の長手方向と直交する方向に突出するように設けられたものを用いると共に、図１１〜図１３に示すように、本体フレーム１０ａにおける第１読み取り部１５ａ側の両側の角部を切り欠いた状態に形成し、各切り欠き部分に上記の放熱部１１ｄを本体フレーム１０ａの外部に突出させる突出口１９を開口させると共に、これらの突出口１９の開閉を行うシャッタ部材１７を設けるようにすることができる。
【００４０】
ここで、このような画像読取装置１０においては、図４に示すように、第１スライダーユニットＳ１を第１読み取り部１５ａに導き、上記の線状照明装置１１を第１読み取り部１５ａに固定した状態で、この第１読み取り部１５ａに導かれた原稿に光を照射させて画像を読み取る固定読取状態にある場合に、図１１に示すように、第１読み取り部１５ａに導かれた放熱部１１ｄにより上記のシャッタ部材１７が押される等により、このシャッタ部材１７が機械的に或いは電気的に回動されて、上記の突出口１９が開口され、この突出口１９を通して線状照明装置１１に設けられた放熱部１１ｄが本体フレーム１０ａの外部に突出されるようになる。
【００４１】
そして、このように本体フレーム１０ａの外部に突出された放熱部１１ｄが、前記の自動原稿送り装置２や画像形成装置１に設けられた通気口３を通して導かれた外気と接触して、光源部１１ｂにおいて発生した熱がこの放熱部１１ｄを通して外部に放熱されるようになる。
【００４２】
この結果、この画像読取装置１０においても、上記の実施形態における画像読取装置１０と同様に、線状照明装置１１を第１読み取り部１５ａに固定した状態で、この第１読み取り部１５ａに導かれた原稿に光を照射させて画像を読み取る固定読取状態において、光源部１１ｂにおいて発生した熱が放熱部１１ｄを通して外部に適切に放熱され、光源部１１ｂが加熱されるのが適切に防止されるようになる。
【００４３】
一方、上記の第１スライダーユニットＳ１が第１読み取り部１５ａから離れる方向に移動して、線状照明装置１１に設けられた上記の放熱部１１ｄが本体フレーム１０ａ内に導かれると、図１３に示すように、上記のシャッタ部材１７が回動されて元の状態に戻り、本体フレーム１０ａの切り欠き部分に設けられた突出口１９がこのシャッタ部材１７により閉塞されて、外気に含まれるほこり等が本体フレーム１０ａ内に流れ込むのが防止されるようになる。
【００４４】
なお、上記の各画像読取装置１０においては、線状照明装置１１として、長尺状の導光体１１ａの両端部にそれぞれ光源部１１ｂと放熱部１１ｄとを設けたものを用いるようにしたが、導光体１１ａの一端側にだけ光源部１１ｂと放熱部１１ｄとを設けたものを用いることもできる。
【符号の説明】
【００４５】
１  画像形成装置
２  自動原稿送り装置
３  通気口
１０  画像読取装置
１０ａ  本体フレーム
１１  線状照明装置
１１ａ  導光体
１１ｂ  光源部
１１ｃ  基板
１１ｄ  放熱部
１２ａ  第１反射鏡
１２ｂ  第２反射鏡
１２ｃ  第３反射鏡
１３  結像レンズ
１４  画像読取り素子
１５ａ  第１読み取り部
１５ｂ  第２読み取り部
１６  外気出入口
１７  シャッタ部材
１８ａ，１８ｂ，１８ｃ  ダクト部
１９  突出口
Ｓ１  第１スライダーユニット
Ｓ２  第２スライダーユニット
【図１】
2012191404.tif 000003
【図２】
2012191404.tif 000004
【図３】
2012191404.tif 000005
【図４】
2012191404.tif 000006
【図５】
2012191404.tif 000007
【図６】
2012191404.tif 000008
【図７】
2012191404.tif 000009
【図８】
2012191404.tif 000010
【図９】
2012191404.tif 000011
【図１０】
2012191404.tif 000012
【図１１】
2012191404.tif 000013
【図１２】
2012191404.tif 000014
【図１３】
2012191404.tif 000015